(57)【特許請求の範囲】
【請求項１】
シート状壁装材の移動経路を構成する複数のローラのうち上部側に配されるローラを保持する上部構体と、
下部側に配される糊付けローラを始めとする複数のローラを保持する下部構体とからなる糊付機本体と、
前記糊付機本体に着脱自在に取付けられ、前記糊付けローラを外部電源で駆動する駆動源を搭載したコントローラとを備え、
シート状壁装材を糊付機本体の後面側から引き入れ前記移動経路に沿って前面側に移動させることにより、
下部構体内に配設した糊桶内の糊液を糊付けローラで壁装材の裏面に連続的に塗布する自動壁紙糊付機において、
前記コントローラが、時間情報を与える計時手段と、前記駆動源の動作を制御する駆動制御手段と、前記駆動制御手段を制御する指令情報を記憶した指令記憶手段と、前記駆動制御手段の動作を監視しつつ指令記憶手段からの指令に基づき始動から停止までを１単位とした糊付作業の履歴を糊付作業履歴情報として抽出する糊付監視制御手段と、作業現場特定情報を入力する作業現場入力手段と、前記作業現場入力手段からの作業現場特定情報と、前記糊付監視制御手段からの糊付作業履歴情報と、前記計時手段からの時間情報とを順次データベース化する糊付作業履歴記憶手段とを備え、
前記コントローラを糊付機本体から外した際に前記駆動源の作動を禁止する駆動源作動禁止手段を更に備えたことを特徴とする自動壁紙糊付機。
【請求項２】
前記駆動源作動禁止手段が、コントローラを糊付機本体から外した際に前記コントローラの駆動源への給電を遮断する接触型又は非接触型スイッチイング装置を備えている
ことを特徴とする請求項１に記載の自動壁紙糊付機。
【請求項３】
前記非接触型スイッチイング装置が、
交番電流で励磁されたコントロール側コイルと、
前記コントローラが糊付機本体の適正位置に装着された際にコントロール側コイルのインピーダンスを変化させるように糊付機本体側に設けられた対向電磁誘導手段と、
前記コントローラ側コイルの出力の値を監視し、前記コントローラが糊付機本体の適正位置に装着されている状態における値に対応する時のみ前記駆動源への給電回路を形成させる給電スイッチとを備えたことを特徴とする請求項２に記載の自動壁紙糊付機。
【発明の詳細な説明】
【技術分野】
【０００１】
本発明は、室内壁面等に貼付されるシート状壁装材の裏面に連続的に糊を塗布する壁紙糊付機に関するものである。
【背景技術】
【０００２】
現在、建築物の内装施工における壁装材の室内壁面への貼付は、現場で専用の壁紙糊付機を用いてシート状の壁装材（以下、クロスとも記す）に連続的に糊を塗布しながら行うのが一般的となっている。
【０００３】
一般的な壁紙糊付機としては、互いに接続された上部構体と下部構体のそれぞれに配設した複数のローラによってクロスを上部構体と下部構体との間に後面から前面に引き入れ、各種ローラによりクロスを所定の経路に沿って移動させながら、下部構体内の糊桶内の糊をクロスの裏面に連続的に塗布するものが提案されており（例えば、特許文献１参照）、種々の壁紙糊付機が既に市販されている。
【０００４】
より一般的な構成としては、ロール状に巻かれたクロスを懸架する台と糊付け後のクロスを受けるクロス受けとの間に糊桶を備えた下部構体と上部構体とを配置し、内部に複数のローラが配置された上部構体及び下部構体から構成される糊付機本体を支持脚部上に載置し、上下構体の間に挟み込んだクロスをローラで搬送しながら、下部構体の糊桶から糊をローラで糊上げ、クロス裏面に糊を転写塗布していくものである。
【０００５】
具体的には、下部構体上に原反ロールから繰り出したクロスを先端部が本体前方に垂れる状態で載置して上部構体を閉じて下部構体と上部構体の所定ローラ間にクロスを挟み込んだ状態にしておき、クロス裏面に糊を転写塗布していく。
【０００６】
このような壁紙糊付機には手動式と自動式とがある。即ち、手動式装置では作業者がクロス先端を持って前方へ引っ張ることにより、クロスを上下で挟んでいるローラの一部を追従回転させると共に他のローラをギアを介して連動回転させてクロスを糊付機本体の後方から前方へ搬送させながら、途中で糊桶内の糊をその回転によって引き上げているローラの頂点上で、このローラから糊が裏面に塗布され、糊塗布済み状態で前方から送り出されてくる。また、自動式装置では、所定のローラの軸を電動モータ等の駆動源に連結して回転させることによって、他のローラもギアを介して連動回転するものである。
【０００７】
このような壁紙糊付機の具体的な挙動を、自動壁紙糊付機を例に説明する。図７は従来の自動壁紙糊付機の内部構成を示す説明図である。図に示す通り、糊付機本体７０１を構成する上部構体７０５及び下部構体７０４内には、複数のローラが配列されており、下部構体７０４内には、糊を収容している糊桶７０６が備えられている。
【０００８】
上部構体７０５内には、クロスを糊付機本体内に後部側から取り込むためのピンチローラを構成する上ピンチローラ７５１と、クロスＣに糊付機本体の前部方向への送り出し張力を付与するためのドライブローラ７５３と、これら上ピンチローラ７５１とドライブローラ７５３との間でクロスを上から押さえてクロスの移動に追従回転する押さえローラ７５２とが、互いに所定間隔で平行に配列されるように、それぞれ上部構体７０５の側板に軸支されている。
【０００９】
また、下部構体７０４内には、前記上ピンチローラ７５１と対になってピンチローラを構成する下ピンチローラ７４２と、糊液をクロス裏面に塗布する糊付けローラ７４１と、糊付けローラに接して糊量を調節するドクターローラ７４４と、前記ドライブローラ７５３と共にクロスに適度な張力を与えて前部方向へ送り出す均しローラ７４３とが、互いに所定間隔を持って平行に配列されるように、下部構体７０４の側板に軸支されている。また糊上げローラ７６１は、糊桶７０６の内部両側面に軸支されて糊桶７０６内の糊液を糊付けローラ７４１に塗布する。
【００１０】
通常、これら複数のローラの内、下部構体７０４内に配列されたものは全てギアを介して連動するものである。一方、上部構体７０５内に配列されたものは、ドライブローラ７５３がギアを介して下部構体７０４のギア系と連動するものであり、上ピンチローラ７５１および押さえローラ７５２は、他のローラの回転駆動によって後方から前方へ搬送されていくクロスに当接して表面摩擦によって追従回転するものである。
【００１１】
このような構成の壁紙糊付機を用いた糊付け作業においては、まず、下部構体７０４に対して上部構体７０５を開いた状態とし、糊付機本体７０１の後方に軸支されているクロス原反ＲからクロスＣの先端を引き出し、２つのテンションバーを経て糊付機本体後部に取付けられたスリッタ１２０を通してから、その先端が本体全面側に垂れるようにクロスを下ピンチローラ７４２，糊付けローラ７４１，均しローラ７４３の上に載せ、上部構体７０５を閉じ、クロスの挟み込み状態を得る。
【００１２】
このようにクロスがセットされた状態において、自動壁紙糊付機の場合は駆動制御装置（図示せず）からの寸動指令によって、寸動量だけ駆動が開始される。この初期駆動によってギアでそれぞれ連結された各ローラが所定の周速比で回転を始めると、糊上げローラ７６１が糊桶内の糊を載せ上げつつ、糊付けローラ７４１へ糊を塗布する。糊付けローラ７４１の表面へ塗布された糊は、ドクターローラ７４４で所定量に調整されたのち、押さえローラ７５２を経て糊付けローラ７４１の頭頂部に送られてくるクロスの裏面に転写塗布される。
【００１３】
糊付けされたクロスは、その後ドライブローラ７５３と均しローラ７４３とによって張力を与えられた状態で牽引され、均しローラ７４３による糊面の均しが行われつつ本体前面に送り出されてくる。寸動量分のクロス裏面への糊付けが行われたら、装置の駆動が一旦止まり、先端の糊付けされていない不要なクロス部分をカッターで切断して糊付準備を終了する。
【００１４】
この糊付準備終了後、実際に必要なクロス長等の条件設定を駆動制御装置へ入力し、駆動制御装置からの作動命令によってモータによる装置の回転駆動が開始されると、裏面全面に糊付けされたクロスが本体前面から送り出され、所望の長さとなるとモータ駆動が停止する。所望の長さとなったクロスは、作業者によって所定の長さで糊付機本体前面に長手方向に配されたカッターガイドに沿ってカッターで切断され、折り畳まれ、糊付機前面に配置されたトレイＴ上に堆積される。
【特許文献１】実開平６−８１８００号公報
【発明の開示】
【発明が解決しようとする課題】
【００１５】
このような壁紙糊付機においては、作業終了時に糊桶や各ローラ等に付着した糊を洗い流さなければならない。このため、駆動源を始めとした電気機器を搭載したコントローラ及びスリッターを糊付機本体から取り外した上で、ホース等から水を出しながらしっかりと洗浄することになっている。
【００１６】
その一方で、コントローラに糊付時表示画面とこの糊付時表示画面とは表示パターンの異なる１つ以上の別の表示画面とを切換えて表示するフラットディスプレイパネルを搭載して、糊付枚数や糊付長さ等の糊付制御情報だけでなく、糊付された時間情報、糊付現場情報、実際に行った糊付枚数や糊付長さ等の高度な糊付作業履歴情報を糊付作業中に記憶させておき、使用者の業務管理に役立てることのできる壁紙糊付機を開発している。
【００１７】
このような壁紙糊付機では、記憶された糊付作業履歴情報等を業務管理に利用するため、コントローラのみを糊付機本体から取り外して、作業現場から自宅や事務所等の業務管理作業場へ持って行き、コントローラを電源に繋いで起動させる必要がある。
【００１８】
しかしながら、コントローラには糊付機本体側の各ロールを駆動する駆動源を搭載しているため、業務管理作業中に不用意に駆動源のスタートスイッチを押す場合が想定される。駆動源の回転軸の回転力を本体側のロールに噛み合う歯車で駆動するが、不用意な駆動源の回転軸を回動することにより歯車が回動して、ものの破損や怪我もあり得る。
【００１９】
本発明は、コントローラを糊付機本体から取り外し、コントローラに給電した場合に駆動源の駆動を禁止することのできる自動壁紙糊付機を得ることを目的とする。
【課題を解決するための手段】
【００２０】
請求項１に記載された発明に係る自動壁紙糊付機は、シート状壁装材の移動経路を構成する複数のローラのうち上部側に配されるローラを保持する上部構体と、下部側に配される糊付けローラを始めとする複数のローラを保持する下部構体とからなる糊付機本体と、前記糊付機本体に着脱自在に取付けられ、前記糊付けローラを外部電源で駆動する駆動源を搭載したコントローラとを備え、シート状壁装材を糊付機本体の後面側から引き入れ前記移動経路に沿って前面側に移動させることにより、下部構体内に配設した糊桶内の糊液を糊付けローラで壁装材の裏面に連続的に塗布する自動壁紙糊付機において、
前記コントローラが、時間情報を与える計時手段と、前記駆動源の動作を制御する駆動制御手段と、前記駆動制御手段を制御する指令情報を記憶した指令記憶手段と、前記駆動制御手段の動作を監視しつつ指令記憶手段からの指令に基づき始動から停止までを１単位とした糊付作業の履歴を糊付作業履歴情報として抽出する糊付監視制御手段と、作業現場特定情報を入力する作業現場入力手段と、前記作業現場入力手段からの作業現場特定情報と、前記糊付監視制御手段からの糊付作業履歴情報と、前記計時手段からの時間情報とを順次データベース化する糊付作業履歴記憶手段とを備え、
前記コントローラを糊付機本体から外した際に前記駆動源の作動を禁止する駆動源作動禁止手段を更に備えたことを特徴とするものである。
【００２１】
請求項２に記載された発明に係る自動壁紙糊付機は、請求項１に記載の駆動源作動禁止手段が、コントローラを糊付機本体から外した際に前記コントローラの駆動源への給電を遮断する接触型又は非接触型スイッチイング装置を備えていることを特徴とするものである。
【００２２】
請求項３に記載された発明に係る自動壁紙糊付機は、請求項２に記載の非接触型スイッチイング装置が、
交番電流で励磁されたコントロール側コイルと、
前記コントローラが糊付機本体の適正位置に装着された際にコントロール側コイルのインピーダンスを変化させるように糊付機本体側に設けられた対向電磁誘導手段と、
前記コントローラ側コイルの出力の値を監視し、前記コントローラが糊付機本体の適正位置に装着されている状態における値に対応する時のみ前記駆動源への給電回路を形成させる給電スイッチとを備えたことを特徴とするものである。
【発明の効果】
【００２３】
本発明は、コントローラを糊付機本体から取り外し、コントローラに給電した場合に駆動源の駆動を禁止することができる。このため、コントローラを作業現場以外の場所に持ち出し、その場所でコントローラに給電して不用意に駆動源の駆動スイッチを入れても操作者の安全を守ることができる等の効果を有する。
【発明を実施するための最良の形態】
【００２４】
本発明においては、コントローラを糊付機本体から外した際に前記駆動源の作動を禁止する駆動源作動禁止手段を備えるものであるため、コントローラを糊付機本体から取り外して、コントローラに給電した場合に不用意に駆動源のスイッチを入れても駆動源の駆動を禁止することができる。
【００２５】
本発明の駆動源作動禁止手段としては、コントローラに装着された歯車の回転を機械的に切断する機構も含む。即ち、駆動源の回転軸は回動するが、回転軸と歯車との間にギアを配置して本体側のロールに噛み合う歯車は回転しないようにする機構も含む。例えば、ロールに噛み合う歯車を装着した出力軸と駆動軸とを各々歯車で連結し、出力軸又は駆動軸をコントローラを糊付機本体から外した際にそれらの連結を解除するように押圧しておく等の機構が採用される。しかしながら、ギアの入り切りの機構はコントローラの重量を大きくするため、駆動源自体を駆動させない機構が好ましい。
【００２６】
よって、好ましい態様としては、駆動源作動禁止手段が、コントローラを糊付機本体から外した際に前記コントローラの駆動源への給電を遮断する接触型又は非接触型スイッチイング装置を備えているものが挙げられる。即ち、コントローラを糊付機本体に装着した際にコントローラ内部の駆動源への給電回路が閉じられるように接触型又は非接触型スイッチイング装置を配置すればよい。
【００２７】
接触型スイッチイング装置では、コントローラが糊付機本体に確実に装着している状態か否かを、糊付機本体へ接触するスイッチで判定するため、例えばコントローラに突起等の配置が必要となる。このため、機械的なスイッチの駆動機構が必須であるため、経年劣化が予想される。尚、弱い電流を用いてコントローラを糊付機本体に装着した際に端子同士が連結して閉回路を形成するように配置したものも接触型スイッチイング装置の１つとすると、端子の汚れ等により誤動作の虞は否めない。従って、非接触型スイッチイング装置の方が耐久性等の面でより好ましい。
【００２８】
非接触型スイッチイング装置としては、光を用いるものなど、磁気を用いるもの、超音波を用いるもの、誘導磁界を用いるもの等があるが、その何れでも耐久性の高い駆動源作動禁止手段を構成することが可能である。
【００２９】
例えば、光を用いるものであれば、出射口と受光口とをコントローラに搭載し、糊付機本体の対向する位置に出射された光が受光口へ反射するための反射板を設け、コントローラの駆動時には出射光が受光口に受光されている状態でのみ駆動源への給電回路が形成するように構成する。また、磁気を用いるものであれば、磁石を糊付機本体に搭載し、その磁石のコントローラでの対向位置にリードスイッチを搭載し、コントローラの取付け時にのみ駆動源への給電回路が形成するように構成する。更に、超音波を用いるものであれば、対向する糊付機本体に該当する超音波を反射する反射板を搭載させておき、コントローラの取付け時にのみ駆動源への給電回路が形成するように構成する。
【００３０】
しかしながら、光を用いるものでは、出射口又は受光口に汚れ等が付着すると誤動作する虞は否めない。また、磁気を用いるものでは、糊付機本体に磁気を帯びる箇所が存在し、この部分に工具等が付着することで誤動作する虞は否めない。更に、超音波を用いるものでは、超音波発信素子及び受信素子が高価であり、装置の価格を押し上げることになる。このため、より好ましくは誘導磁界を用いるものが好ましい。
【００３１】
誘導磁界を用いるものでは、例えば、交番電流で励磁されたコントロール側コイルと、前記コントローラが糊付機本体の適正位置に装着された際にコントロール側コイルのインピーダンスを変化させるように糊付機本体側に設けられた対向電磁誘導手段と、前記コントローラ側コイルの出力の値を監視し、前記コントローラが糊付機本体の適正位置に装着されている状態における値に対応する時のみ前記駆動源への給電回路を形成させる給電スイッチとを備えるように構成する。
【００３２】
本発明での自動壁紙糊付機のコントローラには、好ましくは、時間情報を与える計時手段と、駆動源の動作を制御する駆動制御手段と、前記駆動制御手段を制御する指令情報を記憶した指令記憶手段と、前記駆動制御手段の動作を監視しつつ指令記憶手段からの指令に基づき始動から停止までを１単位とした糊付作業の履歴を糊付作業履歴情報として抽出する糊付監視制御手段と、作業現場特定情報を入力する作業現場入力手段と、前記作業現場入力手段からの作業現場特定情報と、前記糊付監視制御手段からの糊付作業履歴情報と、前記計時手段からの時間情報とを順次データベース化する糊付作業履歴記憶手段とを備え、糊付作業履歴記憶手段に記憶された糊付履歴情報のうち、予め定められた時間幅内の糊付作業履歴情報を表示する表示手段を備える。これにより、作業現場で蓄積された糊付作業履歴情報を作業現場以外の業務管理時に表示することのできるものであれば本発明の駆動源作動禁止手段の効果が高い。
【００３３】
即ち、糊付監視制御手段からの糊付作業履歴情報と、前記計時手段からの時間情報とを順次データベース化する糊付作業履歴記憶手段により、従来通りの壁紙施工作業で、容易に、しかも正確に実施した糊付作業をデータベース化する機能を有するコントローラでは、糊付作業の業務管理を容易とするため、作業現場以外の場所に持ち出し、その場所でコントローラの糊付作業履歴情報を活用する際に操作者の安全を守ることができる。
【００３４】
糊付作業履歴情報としては、特定の日の糊付作業履歴情報を表示するものや、特定の月の糊付作業履歴情報を作業現場特定情報と時間情報と共に表示するものが挙げられる。これにより、１日の仕事の終了時点の総糊付長さが確認でき、月締め等で請求書を作成する際に確認できる等の利点がある。
【００３５】
この計時手段としては、より好ましくは、正確な時間を表示するために、計時手段が、標準周波数報時電波を受信して誤差を自動修正する機能を持つ電波時計機能を用いるものが挙げられる。この場合、標準周波数報時電波の発信周波数は、４０ＫＨｚ及び６０ＫＨｚである。また、電波時計には標準周波数報時電波だけでなく、自身のクオーツ素子（周波数３２．７ＫＨｚ）を持つ。一方、糊付機のコントローラは交流電源を直流電源に変換して用いるが、この場合、トランスで発生するノイズが主基板に混入する虞がある。このため、標準周波数報時電波を受信するアンテナ装置が前記駆動制御手段を搭載した主基板とは相違する位置に設置され、この主基板とアンテナ装置との間にはシールドを設置する。
【００３６】
また、好ましくは、計時手段は充電池又は乾電池等の内部電源を備え、糊付機本体への給電がない場合でも標準周波数報時電波を受信し、常に正確な時間を補正することができる。この場合、計時手段を搭載する基板には内部電源が通電されているため、基板上の制御手段等は所謂「スリープ状態」となっている。このため、誤動作を防止するために、好ましくはリセットスイッチ手段をコントローラに備える。より好ましくは、新たにリセットスイッチを搭載するのではなく、リセットスイッチ手段は既存の複数のスイッチを組み合わせて動作させるものがよい。
【００３７】
更に、好ましくは、糊付作業履歴記憶手段に記憶された糊付履歴情報を書き出し可能な外部の又は取り外し可能な内部の不揮発メモリを更に備える。ＰＣで記憶された糊付履歴情報を元にして請求書を作成することが可能となる。また逆に、不揮発メモリ内にバージョンアップした制御プログラムをコントローラに与えるようにしてもよい。これにより、インターネット経由で制御プログラムのバージョンアップが可能ともなる。
【実施例】
【００３８】
１．全体構成
図１は本発明の支持構造を備えた自動壁紙糊付機の側方構成を示す説明図である。図２は図１の自動壁紙糊付機本体の側方構成を示す説明図である。図３は図１の自動糊付機本体のコントローラとの構成を示す説明図であり、ａ図は糊付機本体とコントローラとの接続を示す正面図、ｂ図はコントローラの正面図、ｃ図はコントローラの平面図である。図４は自動壁紙糊付機の制御系の構成を示すブロック図である。図５はコントローラ内部の制御系の構成を示す説明図である。
【００３９】
図１に示す通り、自動壁紙糊付機は、糊付機本体１と、この糊付機本体１を載置する台座部２と、糊付機本体１を所定高さで支持するために台座部２の左右両端下部にそれぞれ前後に二本一対で配される前脚３１と後脚３２とで構成される脚部３とからなる。
【００４０】
一対の後脚３２には、クロス受けブラケット３３が回動自在に配されており、クロス受けブラケット３３の先端部には、原反ロールＲの中心に通されたクロス芯棒３４が軸支されている。原反ロールＲから繰り出されるクロスＣは、後脚３２の折り畳み部３５に横架された第１テンションバー３６に当接して糊付機本体の引き込み口での引き込み荷重が与えられる。
【００４１】
糊付機本体１は、糊桶６を主とする下部構体４とその上に開閉可能に載置される上部構体５とによって構成される。各ローラの回転に伴って糊付機本体１の後面側から前方へ搬送されてくるクロス裏面に回転しながら当接して連続的に糊を塗布する糊付けローラ４１は、下部構体４の左右両側壁面の軸支板に、できるだけ糊桶６内に沈む下方位置の配置となるように軸支されている。また、糊桶６内の糊を回転によって掻き上げて糊付けローラ４１に塗布する糊上げローラ６１は、糊桶６の両側側面に、中心より後面側寄りの位置で軸支されている。
【００４２】
糊付けローラ４１は、糊付機本体１に着脱自在に取付けられる駆動源である電動モータを備えたコントローラ８（図３参照）の回転軸に連結されている。糊桶６の側板に軸止された糊付けローラ４１の回転軸は、下部構体４に配置される下ピンチローラ４２、ドクターローラ４３、均しローラ４４及び上部構体５に配置されるドライブローラ５３の各々の回転軸とギアを介して連動される。
【００４３】
糊付けローラ４１の回転に伴って、ギアを介して回転運動が伝達された他のローラも回転し、上下部構体間に挟み込まれているクロスＣを後方から前方へ搬送し、その途中で糊付けローラ４１上を搬送される際に糊桶６から引き上げられた糊がクロス裏面に転写塗布される。尚、検尺ローラとして用いられる上ピンチローラ５１と押さえローラ５２とは、ギアを介して糊付けローラ４１とは接続されず遊輪軸であり、後方から前方へ搬送されていくクロスに当接して表面摩擦によって追従回転するものである。
【００４４】
また、糊付機本体１の後面側には、スリッター７を備える。スリッター７は、クロスＣを沿わせて搬送する搬送通路となるガイド面部７１と、このガイド面部７１への上流側とガイド面部７１の下流側にクロス全幅に亘ってガイド面部７１方向へ押圧された状態でガイド面部７１上にテンションをかけるように配置されるテンションバー７２と、ガイド面部７１の側端部領域に各々回転刃７０とを備えている。
【００４５】
ガイド面部７１は、スリッターの上下に亘って形成され、その下端縁部（即ち、壁装材搬送上流側縁部）と、上端縁部（即ち、壁装材搬送下流側縁部）とは、壁装材Ｃの搬送方向を曲折するための曲面部７３，７４を各々有している。スリッター７の下方（即ち、クロス搬送上流側）の第２テンションバー７２は、第１テンションバー３６と同様にクロスＣの全幅を超える長さの丸棒部材であり、ガイド面部７１の曲面部７３，７４と併せて糊付機本体へ引き込まれるクロスＣに良好なテンションをかけることができる。
【００４６】
２．制御系（コントローラ）の構成
図４に示す通り、糊付けローラを駆動する駆動源８０に接続してこの動作を制御する駆動制御手段８２と、この駆動制御手段８２に接続した駆動制御手段８２を制御する指令情報を記憶した指令記憶手段８３とを備え、表示画面を切換える表示制御手段８４を介して視覚表示手段としてのフラットディスプレイパネルとしてのＬＣＤ９１に指令記憶手段８３の指令情報の内容に関する情報が表示される。
【００４７】
また、表示画面を切換える表示制御手段８４は、表示パターン記憶手段８４ａに接続され、記憶された種々の表示画面の表示パターン情報を表示制御手段８４に与える。計時手段としての電波時計８５も表示制御手段８４に接続され、電波時計８５のデータは該当する表示パターン情報の表示領域に表示される。
【００４８】
糊付監視制御手段８６は、駆動制御手段８２の動作を監視しつつ指令記憶手段からの指令に基づき駆動源の始動から停止までを１単位とした糊付作業の履歴を糊付作業履歴情報として抽出し、その糊付作業履歴情報を電波時計８５からの時間情報と共に糊付作業履歴記憶手段８６ａで記憶してデータベース化する。この際、作業を行う作業現場名（作業現場特定情報）をも同時に糊付作業履歴記憶手段８６ａで記憶してデータベース化する。更に、糊付監視制御手段８６は、データベース化した糊付作業履歴情報を接続した表示制御手段８４を介して該当する表示パターン情報の表示領域に表示する。
【００４９】
更に、駆動源８０の駆動状況を検知するセンサとクロスの移動を検知する検尺センサ８８と外部電源からの電圧を検知する供給電圧センサ８９との検知に対応したエラーメッセージを記憶したエラーメッセージ記憶手段８７ａを備え、エラーメッセージ選択手段８７によって各々のセンサに接続してセンサの検知に応じて該当するエラーメッセージを選択して、接続した表示制御手段８４を介して該当する表示パターン情報の表示領域に表示する。
【００５０】
これらの制御系は、図５に示す通りのコントローラ８の内部に集中して配置される。これにより、自動壁紙糊付機の洗浄の際には制御系が搭載されたコントローラ８を取り外すことができ、水濡れの心配がない利点があり、作業現場以外の場所に持ち出し、その場所でコントローラの糊付作業履歴情報を活用して糊付作業の業務管理を容易とすることができる。
【００５１】
本実施例では、前述の各制御手段が１つの素子数１０００万個のチップを含んだＬＳＩを搭載したマイクロプロセッサー（プログラム容量１２８Ｋｂｉｔｅ）は、回転制御部１０２，情報処理部１０３，内部記憶部１０５，画面制御部１０８の役割を担う。
【００５２】
即ち、糊付ローラ６１に回転軸８１の歯車が噛合される駆動源８０が、駆動出力部１０１を介して、マイクロプロセッサーの回転制御部１０２から駆動指令が与えられる。駆動指令は、ファンクションキー９２、選択キー９３及びテンキー９４に該当する操作部１０４で入力した種々の情報がマイクロプロセッサー内部の内部記憶部１０５か、外部記憶部１０５’に記憶され、情報処理部１０３を介して与えられる。
【００５３】
従って、前述の駆動制御手段８２としては、駆動出力部１０１と回転制御部１０２と情報処理部１０３とが該当し、指令記憶手段８３としては、内部記憶部１０５か外部記憶部１０５’が該当する。
【００５４】
一方、前述の表示画面を切換える表示制御手段８４としては、マイクロプロセッサーの画面制御部１０８及び情報処理部１０３が該当し、ＬＣＤ９１をモジュール中に含むＬＣＤモジュール１０９で表示する。種々の表示画面の表示パターン情報を記憶する表示パターン記憶手段８４ａは外部記憶部１０５’か内部記憶部１０５中に記憶させておき、表示する。
【００５５】
前述の糊付監視制御手段８６としては、糊付長さを監視する糊付作業監視部１０７ａと情報処理部１０３とがこれに該当し、指令に応じた駆動源の始動から停止までを１単位とした糊付作業の履歴を糊付作業履歴情報として抽出し、情報処理部１０３を介してその糊付作業履歴情報を計時部１０６からの時間情報と共に外部記憶部１０５’で記憶してデータベース化する。この外部記憶部１０５’はＳＤメモリ等の不揮発メモリとして取り外し可能となっている。更に、情報処理部１０３及び画面制御部１０８を介して糊付作業監視部１０７ａからの糊付作業履歴情報は、作業者の選択等により、種々の表示画面の表示パターン情報から選択されてＬＣＤモジュール１０９のＬＣＤ９１に表示される。
【００５６】
駆動源８０の駆動状況を検知するセンサとクロスの移動を検知する検尺センサ８８と外部電源からの電圧を検知する供給電圧センサ８９とを含むエラー選択部１０７ｂからのデータはエラーメッセージ選択手段８７としても働く情報処理部１０３で、エラーメッセージ記憶手段８７ａとしても機能する外部記憶部１０５’か内部記憶部１０５に記憶された各センサの検知に対応したエラーメッセージを選択し、ＬＣＤモジュール１０９のＬＣＤ９１に表示する。
【００５７】
３．駆動源作動禁止手段
図６に示す通り、本実施例の駆動源作動禁止手段としては、対向電磁誘導手段として下部構体４のコントローラ８側の側壁に、配線４６で閉回路を形成された本体側コイル４５が設置される。一方、コントローラ８には、この本体側コイル４５の対向位置にコントローラ側コイル９５が設置されている。コントローラ側コイル９５には、交番電流として予め定められた振動数のパルス電流を通電しつつこの電流の電圧値を計測する計測手段９６と、計測手段９６で検出された電圧値が本体側コイル４５の存在によるコントローラ側コイル９５のインピーダンスに応じた電圧値を中心とした予め定められた範囲内にある場合のみ駆動源への給電回路を形成する給電スイッチ手段９７とを備える。
【００５８】
尚、本実施例では対向電磁誘導手段として本体側コイル４５を用いたが、コントローラ側コイル９５の励磁による電磁誘導に応じた渦電流を発生させることにより、コントロール側コイルのインピーダンスを変化させるものであれば金属板に変更可能である。
【００５９】
これにより、作業現場以外の場所に持ち出し、その場所でコントローラの糊付作業履歴情報を活用して糊付作業の業務管理を容易とする際に、不用意に駆動源の駆動スイッチを入れても駆動源が駆動しないため、操作者の安全を守ることができる。尚、駆動源作動禁止手段としては、本実施例の誘導磁界の変化を検出するものが、耐久性が高く、安価で、誤作動も少ないが、機械的なスイッチの駆動機構を有する接触型スイッチイング装置や、光、磁気、超音波を用いる非接触スイッチイング装置を用いても不用意に駆動源の駆動スイッチを入れても駆動源が駆動しないことは達成可能である。
【図面の簡単な説明】
【００６０】
【図１】本発明の支持構造を備えた自動壁紙糊付機の側方構成を示す説明図である。
【図２】図１の自動壁紙糊付機本体の側方構成を示す説明図である。
【図３】押さえローラ保持部材と押さえローラとの構成を示す説明図であり、ａ図は図１及び図２に示した押さえローラ保持部材の説明図、ｂ図は押さえローラとの接合を示す説明図である。
【図４】図１の自動糊付機本体のコントローラとの構成を示す説明図であり、ａ図は糊付機本体とコントローラとの接続を示す正面図、ｂ図はコントローラの正面図、ｃ図はコントローラの平面図である。
【図５】コントローラ内部の制御系の構成を示す説明図である。
【図６】駆動源作動禁止手段の概略構成を示す説明図である。
【図７】従来の自動壁紙糊付機の内部構成を示す説明図である。
【符号の説明】
【００６１】
Ｒ    …原反ロール、
Ｃ    …クロス、
１    …糊付機本体、
２    …台座部、
３    …脚部、
３１  …前脚、
３２  …後脚、
３３  …クロス受けブラケット、
３４  …クロス芯棒、
３５  …折り畳み部、
３６  …第１テンションバー、
４    …下部構体、
４１  …糊付けローラ、
４２  …下ピンチローラ、
４３  …ドクターローラ、
４４  …均しローラ、
４５  …本体側コイル、
４６  …配線、
５    …上部構体、
５１  …上ピンチローラ、
５２  …押さえローラ、
５３  …ドライブローラ、
５４  …押さえローラ保持部材、
６    …糊桶、
６１  …糊上げローラ、
７    …スリッター、
７１  …ガイド面部、
７２  …第２テンションバー、
７０  …回転刃、
７３  …曲面部、
７４  …曲面部、
８    …コントローラ、
８０  …駆動源（モータ）、
８１  …回転軸、
８２  …駆動制御手段、
８３  …指令記憶手段、
８４  …表示制御手段、
８４ａ…表示パターン記憶手段、
８５  …電波時計（計時手段）、
８６  …糊付監視制御手段、
８６ａ…糊付作業履歴記憶手段、
８７  …エラーメッセージ選択手段、
８７ａ…エラーメッセージ記憶手段、
８８  …検尺センサ、
８９  …供給電圧センサ、
９０  …操作面、
９１  …ＬＣＤ、
９２  …ファンクションキー、
９３  …選択キー、
９４  …テンキー、
９５  …コントローラ側コイル、
９６  …計測手段、
９７  …給電スイッチ手段、
１０１  …駆動力出力部、
１０２  …回転制御部、
１０３  …情報処理部、
１０４  …操作部、
１０５  …内部記憶部、
１０５’…外部記憶部、
１０６  …計時部、
１０７ａ…糊付作業監視部、
１０７ｂ…エラー選択部、
１０８  …画面制御部、
１０９  …ＬＣＤモジュール、
【図１】
0004846707.tif 000002
【図２】
0004846707.tif 000003
【図３】
0004846707.tif 000004
【図４】
0004846707.tif 000005
【図５】
0004846707.tif 000006
【図６】
0004846707.tif 000007
【図７】
0004846707.tif 000008